(57)【要約】【課題】緩衝効果及び利便性が高く、製造が容易な包装箱を提供する。【解決手段】第１接続板４０は、折目ａ１２を介して正面板１６と連接され、第２接続板４２は、折目ａ１３を介して第１接続板４０と連接され、仕切板４４は、折目ａ１４を介して第２接続板４２と連接される。緩衝板６０は、仕切板４４と折目ａ１６を介して連接され、緩衝板６０の保持部６８及び仕切板４４により囲まれた内側には、デジタルカメラ等の被包装物Ｄ１を収納可能な収納部Ｒ０が構成される。したがって、側面板１４Ａ、１４Ｂ、及び閉じられた状態の蓋板２０、２２Ｂと収納部Ｒ０に収納された被包装物Ｄ１との間に、緩衝部６４及び保持部６８が配置される。緩衝板６４は、収納部Ｒ０に収納された被包装物Ｄ１による押圧により折れ曲がったり、押圧された方向に移動したりすることで変移可能となっている。【選択図】　図４
2004083045.tif 000002
【特許請求の範囲】
【請求項１】
被包装物を出し入れ可能な開口部を有する箱本体と、
板状に形成され、前記箱本体に囲まれた内側を複数の部屋に仕切ると共に、板面に沿った前記開口部外側方向へ移動可能とされた仕切板と、
前記仕切板と一体的に連接され、前記部屋に収納された被包装物と箱本体との間に配置され、この被包装物による押圧によって変移可能な緩衝板と、
前記箱本体と一体的に連接された第１接続部及び前記仕切板と一体的に連接された第２接続部を有し、前記第１接続部と前記第２接続部との距離が伸縮可能とされた接続板と、
を備えた包装箱。
【請求項２】
前記仕切板及び前記接続板の少なくとも一方に一体的に連接され、前記複数の部屋の少なくとも一つに収納された被包装物を前記仕切板の移動に伴って移動させる被包装物移動部材、を更に備えたことを特徴とする請求項１に記載の包装箱。
【請求項３】
前記箱本体と一体的に連接され、前記開口部をカバーする蓋、を更に備えたことを特徴とする請求項１または請求項２に記載の包装箱。
【発明の詳細な説明】
【０００１】
【発明の属する技術分野】
本発明は包装箱に係り、特に、デジタルカメラ等の精密機器の包装に適用される包装箱に関する。
【０００２】
【従来の技術】
従来より、デジタルカメラ等の精密機器を包装する包装箱の内部を複数の空間に仕切るために、箱本体と一体的に形成された仕切板が用いられている。例えば、特開平６−２６３１８１号公報に記載された包装箱としての紙箱は、その内部が、箱本体と連接された中仕切り壁によって、電子機器類の収納空間と説明冊子の収納空間とに仕切られている。また、実開平６−６９１１９号公報に記載された紙箱は、その内部が、箱本体と連接された中底壁、第１縦仕切板、及び第２縦仕切板によって、被包装物本体用収納空間、取扱い説明書用収納空間、の各々に仕切られている。これらの紙箱は、いずれも箱本体を仕切板（中仕切り壁、中底壁、第１縦仕切板、第２縦仕切板）とが一体的に形成されており、製造が容易で、部品点数を減少させることができるという利点を有する。
【０００３】
しかしながら、上記公報に記載された紙箱の仕切板は、いずれも所定の位置に固定されており、仕切板を紙箱から出し入れすることはできなかった。箱本体と一体的に形成された仕切板を、仕切板の板面に沿った方向に出し入れすることができれば、被包装物を仕切板の上に載置して包装することにより、被包装物を仕切板と共に紙箱から出し入れすることができて利便性が向上する。さらに、被包装物への緩衝効果を有する緩衝用部材を一体的に形成することができれば、緩衝用部材を別体で設ける必要がなく、別体で設けた場合と比較して、製造が容易で、部品点数を減少させることができるという利点を有する。
【０００４】
【発明が解決しようとする課題】
本発明は、上記事実を考慮して成されたものであり、より緩衝効果及び利便性が高く、かつ、製造が容易な包装箱を提供することを目的とする。
【０００５】
【課題を解決するための手段】
上記目的を達成するために、本発明の包装箱は、開口部を有する箱本体と、前記箱本体に囲まれた内側を複数の部屋に仕切ると共に、板面に沿った前記開口部外側方向へ移動可能とされた仕切板と、前記仕切板と一体的に連接され、前記部屋に収納された被包装物と箱本体との間に配置され、この被包装物による押圧によって変移可能な緩衝板と、前記箱本体と一体的に連接された第１接続部及び前記仕切板と一体的に連接された第２接続部を有し、前記第１接続部と前記第２接続部との距離が伸縮可能とされた接続板と、を含んで構成されている。
【０００６】
本発明の包装箱は、仕切板によって、箱本体に囲まれた内側が複数の部屋に仕切られる。緩衝板は、仕切板と一体的に形成され、仕切板に仕切られた部屋に収納された被包装物と箱本体との間に配置されている。緩衝板は、衝撃等が加えられて被包装物により押されると変移する。この変移により、被包装物への衝撃は吸収される。ここで、変移とは、緩衝板の平行移動や回転による移動や、緩衝板自体の変形による緩衝板の一部の移動を意味する。
【０００７】
また、仕切板にこの仕切板の板面に沿った前記開口部外側方向への力が加えられると、仕切板と連接された第２接続部にも同方向への力が加わる。接続板の箱本体と連接された第１接続部と第２接続部との距離は伸縮可能とされているので、仕切板は仕切板の板面に沿った開口部外側方向へ移動される。
【０００８】
前記構成によれば、緩衝板により緩衝効果を得ることができる。そして、例えば、上記仕切板の上に被包装物を載置して包装し、被包装物を仕切板と共に開口部外側方向へ移動させれば、被包装物が仕切板と共に開口部外側方向へ移動され、被包装物を容易に取り出すことができるので、利便性が向上する。
【０００９】
しかも、本発明の包装箱によれば、仕切板がこの仕切板の板面に沿った開口部外側方向へ移動するので、例えば、仕切板が板面と直交する方向に移動する場合のように、仕切られた部屋へ仕切板が進入することはない。したがって、仕切られた複数の部屋に被包装物が包装されている場合でも、この被包装物を取り去ったり、各々の部屋に仕切板を進入させるためのスペースを設けたりすることなく、容易に仕切板を上記方向に移動させることができる。
【００１０】
また、接続板は、第１接続部が箱本体と一体的に連接され、第２接続部が仕切板と連接されると共に、緩衝板は前記仕切板と一体的に形成されているので、緩衝板、仕切板、接続板、及び箱本体を一体的に形成することができる。その結果、上記効果を有する包装箱を、容易に製造することができると共に、これらを別体で形成した物と比較して、部品点数を減少させることができる。
【００１１】
本発明の包装箱は、請求項２に記載のように、前記仕切板及び前記接続板の少なくとも一方に一体的に連接され、前記複数の部屋の少なくとも１つに収納された被包装物を前記仕切板の移動に伴って移動させる被包装物移動部材、を更に備えたことを特徴とすることもできる。
【００１２】
前記構成の包装箱によれば、被包装物移動部材によって、前記複数の部屋の少なくとも１つに収納された被包装物が仕切板の移動に伴って移動されるので、被包装物を容易に取り出すことができ、利便性が向上する。また、被包装物移動部材は、仕切板及び接続板の少なくとも一方に一体的に連接されているので、別体とされている場合と比較して、容易に製造することができると共に、部品点数を減少させることができる。
【００１３】
なお、被包装物移動部材による被包装物の移動の方法としては、被包装物を仕切板及び接続板の少なくとも一方に固定する方法がある。また、固定によらず単に被包装物を移動方向に押すことによって、被包装物を移動させることもできる。また、接続板が被包装物移動部材を兼ねる場合も含まれる。
【００１４】
本発明の包装箱は、請求項３に記載のように、前記箱本体と一体的に連接され、前記開口部をカバーする蓋を、更に備えたことを特徴とすることもできる。
【００１５】
前記構成の包装箱によれば、包装箱で被包装物を包装すると、開口部から各部屋に被包装物が収納され、蓋により開口部がカバーされるので、包装された被包装物が外側に露出されず保護される。
【００１６】
【発明の実施の形態】
［第１の実施の形態］
以下、本発明に係る包装箱の第１の実施の形態について、図面を参照して説明する。
【００１７】
図１は、本実施の形態の包装箱１０の斜視図であり、図２は、本実施の形態の包装箱１０の印刷面側の展開図である。なお、図２に示される実線は所謂切取線を意味し、実線をはさんで隣接する構成要素同士は連接されておらず切り離されている。また、図２に示される二点鎖線は所謂折目線を意味し、二点鎖線をはさんで隣接する構成要素同士は連接されている。また、印刷面とは、包装箱１０が組み立てられた状態で外側になる面をいい、この面にディスプレイ効果を持たせるための印刷が施される。
【００１８】
図２に示すように、包装箱１０は、蓋板２０と、箱本体としての、底面板１２、側面板１４Ａ、１４Ｂ、上面板１６、及び蓋板２２Ａ、２２Ｂと、を備える。これらの構成要素、及び、後述する各構成要素のすべては、一枚の板から型取りされ、一体的に形成される。
【００１９】
図２に示すように、底面板１２、側面板１４Ａ、上面板１６、及び側面板１４Ｂは、この順で一方向のＨ方向に連接されている。側面板１４Ａと底面板１２とは、折目ｂ１を介して連接され、上面板１６と側面板１４Ａとは、折目ｂ２を介して連接され、側面板１４Ｂと上面板１６とは、折目ｂ３を介して連接されている。図１に示すように、折目ｂ１〜ｂ３は、裏面を内側に、かつ、隣接する板が互いに直交するように折り曲げられる。底面板１２の折目ｂ１と反対側には、接着部２６が折目ｂ４を介して連接されており、折目ｂ４は、裏面を内側に、かつ、接着部２６が底面板１２と直交するように折り曲げられる。折目ｂ４は、側面板１４Ｂの折目ｂ３と反対側の端辺と一致され、接着部２６の印刷面側と側面板１４Ｂの裏面とは、接着剤によって接着されている。
【００２０】
蓋板２２Ａ、蓋板２２Ｂ、底面板１２、及び蓋板２０は、この順でＨ方向と直交する方向に連接されている。蓋板２２Ａと蓋板２２Ｂとは、折目ａ１を介して連接され、蓋板２２Ｂと底面板１２とは、折目ａ２を介して連接され、底面板１２と蓋板２０とは、折目ａ３を介して連接されている。蓋板２２Ａの折目ａ１と反対側の端辺中央部には、折目ａ４を介して止め板２４が連接されており、折目ａ４の中央部には、後述する止め板２７を差し込み可能な止め孔２５が穿孔されている。蓋板２０の折目ａ３の反対側端辺には、折目ａ５を介して止め板２８が連接され、折目ａ５の中央部には、止め板２４を差し込み可能な止め孔３０が穿孔されている。蓋板２０の止め板２８側中央部には、折目ａ６を介して止め板２７が連接され、止め板２７の中央部の折目ａ６に沿った方向には、折目ａ７が形成されている。折目ａ１〜ａ５、及びａ７は、印刷面と反対側の裏面を内側にして折り曲げ可能とされており、蓋板２２Ａ、２２Ｂ、及び蓋板２０が閉じられる際には、図３に示すように、隣接する板が互いに直交するように折り曲げられる。折目ａ６は、印刷面を内側にして折り曲げ可能とされており、蓋板２０が閉じられる際に、一旦止め板２７が蓋板２０の外側に折り曲げられ、止め板２７の止め孔２５への差し込みが容易に行える構成とされている。
【００２１】
図２に示すように、側面板１４Ａの２つの端辺には、フラップ３２、３４が各々折目ａ８、ａ９を介して連接されており、側面板１４Ｂの折目ｂ３と直交する２つの端辺には、フラップ３６、３８が各々折目ａ１０、ａ１１を介して連接されている。折目ａ８〜ａ１１は、裏面を内側にして折り曲げ可能とされている。フラップ３２〜３８は、蓋板２２Ａ、２２Ｂ、及び蓋板２０を閉じる際には、連接された側面板１４Ａまたは１４Ｂと直交するように折り曲げられて包装箱１０の内部に格納される。
【００２２】
図２に示すように、上面板１６の蓋板２０側の端辺中央部には、切欠部４８が形成されている。また、図１に示すように、上面板１６の中央部から蓋板２２Ｂ側には、窓部５０が構成されている。
【００２３】
図２に示すように、緩衝板６０、仕切板４４、及び接続板としての第２接続板４２及び第１接続板４０とは、この順でＨ方向と直交する方向に連接されている。第１接続板４０は、上面板１６と、折目ａ１２を介して連接されている。第２接続板４２は、第１接続板４０と、折目ａ１３を介して連接されると共に、折目ａ１４を介して仕切板４４と連接されている。第２接続板４２の折目ａ１３側中央部には、孔４７が穿孔されている。
【００２４】
仕切板４４のＨ方向と直交する一端辺には、折目ｂ５を介して支持板４６Ａが連接され、他端辺には、折目ｂ６を介して支持板４６Ｂが連接されている。図１に示すように、折目ｂ５及びｂ６は、裏面を内側にして、支持板４６Ａ、４６Ｂの各々が仕切板４４と直交するように折り曲げられる。支持板４６Ａの折目ｂ５に沿った端辺、及び、支持板４６Ｂの折目ｂ６に沿った端辺は、底面板１２に当接される。
【００２５】
仕切板４４の中央部のやや折目ａ１４側には、後述する差込板６７を差し込み可能な差込孔４５が穿孔されている。
【００２６】
図２に示すように、緩衝板６０は、折目ａ１６を介して仕切板４４のＨ方向に沿った端辺と連接されている。緩衝板６０は、第１支持部６２、緩衝部６４、第２支持部６６、差込板６７、保持部６８、及び支持兼指掛部７０を備える。
【００２７】
第１支持部６２、緩衝部６４、第２支持部６６、差込板６７は、この順でＨ方向と直交する方向に連接されている。第１支持部６２は、折目ａ１６を介して仕切板４４と連接され、緩衝部６４は、折目ａ１７を介して第１支持部６２と連接され、第２支持部６４は、折目ａ１８を介して緩衝部６４と連接されている。図１及び図３に示すように、折目ａ１６は、印刷面を内側にして、仕切板４４と第１支持部６２とが直交するように折り曲げられ、折目ａ１７は、印刷面を内側にして、第１支持部６２と緩衝部６４とが直交するように折り曲げられ、折目ａ１８は、印刷面を内側にして、緩衝部６４と第２支持部６６とが直交するように折り曲げられる。仕切板が収納された状態で、差込板６７は、差込孔４５に差し込まれ、第２支持部６６の折目ａ１８に沿った端辺は、仕切板４４に当接され、第２支持部６６の折目ａ１８と直交する２つの側辺、及びその延長上に各々位置する緩衝部６４の端辺及び第１支持部６２の側辺（図２参照）は、側面板１４Ａ及び側面板１４Ｂに各々当接される。差込板６７が、差込孔４５に差し込まれることにより、第２支持部６６が固定される。
【００２８】
図２に示すように、保持部６８は、４枚の板により構成され、緩衝部６４の中央部に略長方形状に形成された折目ａ１９を介して、緩衝部６４と連接されている。なお、緩衝部６４は必ずしも４枚である必要はなく、更には、緩衝部６４は設けず、折目ａ１９に沿って第２支持部６４に形成される孔のみで構成することもできる。図３に示すように、折目ａ１９は、裏面を外側にして、緩衝部６４と保持部６８とが略直交するように折り曲げられる。図１に示すように、保持部６８及び仕切板４４により囲まれた内側には、デジタルカメラ等の被包装物Ｄ１を収納可能な収納部Ｒ０が構成される。したがって、側面板１４Ａ、１４Ｂ、及び閉じられた状態の蓋板２２Ｂと収納部Ｒ０に収納された被包装物Ｄ１との間に、緩衝部６４及び保持部６８が配置される。緩衝板６４は、収納部Ｒ０に収納された被包装物Ｄ１による押圧により折れ曲がったり、押圧された方向に移動したりすることで変移可能となっており、緩衝効果を持つ。
【００２９】
図２に示すように、支持兼指掛部７０は、第１支持部６２の、緩衝部６４側中央部に連接されており、蓋板２２Ａが閉じられた状態では、蓋板２２Ａに当接して、上面への支持機能を果たす。支持兼指掛部７０と第１支持部６２とは、同一面上に位置している。
【００３０】
図３、図４、及び図６に示すように、折目ａ１２は、第１接続板４０と上面板１６とが角度αを成すように、裏面を内側にして折り曲げられる。第１接続板４０は、折目ａ１２を中心として回転し、これにより角度αは、０°＜α≦１８０°の範囲で変化する。折目ａ１３は、第２接続板４２と第１接続板４０とが角度βを成すように、印刷面を内側にして折り曲げられる。第１接続板４０の回転や第２接続板４２の移動、回転により角度βは、０°≦β≦１８０°の範囲で変化する。折目ａ１４は、仕切板４４と第２接続板４２とが角度γを成すように、印刷面を内側にして折り曲げられる。第２接続板４２の移動、回転や仕切板４４の移動により角度γは、０°≦γ≦１８０°の範囲で変化する。
【００３１】
折目ａ１２と折目ａ１４との距離Ｌは、仕切板４４が格納された状態で、Ｌ＝Ｌ１（図３参照）となり、仕切板４４が少し引き出された状態で、Ｌ＝Ｌ２（図４参照）となり、仕切板４４が完全に引き出された状態で、Ｌ＝Ｌ３（図６参照）となる。
【００３２】
第２接続板４２の折目ａ１４側中央部には、被包装物移動板５２が連接されている。被包装物移動板５２の板面と第２接続板４２の板面とは、角度α、β、及びγの変化によらず、常に同一面上に位置し、被包装物移動板５２と仕切板４４とは角度δを成している。仕切板４４が収納されている状態では、被包装物移動板５２のＨ方向（図２参照）に沿った端辺は、底面板１２の裏面に当接される。
【００３３】
上記のように包装箱１０が構成されることにより、仕切板４４が包装箱１０の内部に収納され、蓋板２０、及び蓋板２２Ａ、２２Ｂが閉じられた状態では、底面板１２、上面板１６、側面板１４Ａ、１４Ｂ、蓋板２０、及び蓋板２２Ａ、２２Ｂに囲まれた内側の空間は、仕切板４４によって、図３に示すように、第１収納部屋Ｒ１と第２収納部屋Ｒ２とに仕切られる。
【００３４】
また、第１収納部屋Ｒ１の蓋板２２Ｂ側には、収納部Ｒ０に収納された被包装物Ｄ１を出し入れ可能な開口部Ｋ１が構成されている。第２収納部屋Ｒ２の蓋板２２Ｂ側には、取扱説明書等の被包装物Ｄ２を出し入れ可能な開口部Ｋ２が構成されている。
【００３５】
次に、本実施の形態の作用について説明する。
【００３６】
図３に示すように、収納部Ｒ０に被包装物Ｄ１が収納された状態で、角度αがα＝１８０°とされ、角度βがβ＝９０°とされ、角度γがγ＝９０°とされて仕切板４４が収納される。このとき折目ａ１２と折目ａ１４との距離Ｌは、Ｌ＝Ｌ１となっている。収納部屋Ｒ２には、開口部Ｋ２から被包装物Ｄ２が収納される。折目ａ３が、裏面を内側にし、かつ、蓋板２０と底面板１２とが直交するように折り曲げられ、止め板２８が上面板１６の内側に差し込まれて、蓋板２０が閉じられる。折目ａ１及びａ２が、裏面を内側にし、かつ、蓋板２２Ａ、２２Ｂと隣接する板とが互いに直交するように折り曲げられ、止め板２４が止め孔３０に差し込まれて、蓋板２２Ａ、２２Ｂが閉じられる。止め板２７が、裏面が内側になるように折目ａ７で９０°折り曲げられ、止め板２７の先端部から折目ａ７までが止め孔２５に差し込まれて、蓋板２２Ａ、２２Ｂが固定されて、被包装物Ｄ１、及びＤ２の包装が完了する。
【００３７】
この状態で、包装箱１０に衝撃が加えられた場合、底面板１２、側面板１４Ａ、１４Ｂ、蓋板２０、蓋板２２Ｂの少なくとも１つの部分が包装箱１０の内側に変移しても、これらと被包装物Ｄ１との間には緩衝部６４及び保持部６８が配置されているので、被包装物Ｄ１への衝撃は緩和される。
【００３８】
また、衝撃が加えられて被包装物Ｄ１が保持部６８を押すと、保持部６８は緩衝部６４の変形や移動、あるいは保持部６８自体の変形や移動によって収納部Ｒ０の外側に変移する。これにより、被包装物Ｄ１への衝撃は吸収される。
【００３９】
被包装物Ｄ１、Ｄ２を取り出す際には、止め板２７を止め孔２５から抜き出した後、止め板２４を止め孔３０から抜き出し、蓋板２２Ａ、２２Ｂを開く。
【００４０】
支持兼指掛部７０に、仕切板の板面に沿った開口部Ｋ１、Ｋ２外側のＺ方向への力を加えると、仕切板４４にも同方向への力が加わり、図４に示すように、第１接続板４０は、折目ａ１２を支点にして角度αが小さくなるＸ方向へ回転する。また、第２接続部４２は、折目ａ１４に沿った部分がＺ方向に移動すると共に、角度γが大きくなるＹ方向へ回転する。被包装物移動板５２は、折目ａ１４に沿った部分がＺ方向に移動すると共に、角度δが小さくなるＹ方向へ回転する。これにより、図５にも示すように、仕切板４４はＺ方向へ引き出され、仕切板４４に載置された被包装物Ｄ１も、仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図４に示すようにＬ＝Ｌ２（Ｌ２＜Ｌ１）となり、前述の仕切板４４が収納された状態と比較して、短くなる。
【００４１】
支持兼指掛部７０に、さらにＺ方向への力が加えられると、図６に示すように、第１接続板４０は、折目ａ１２を支点にして角度αがさらに小さくなるＸ方向へ回転する。また、第２接続部４２は、折目ａ１４に沿った部分が、Ｚ方向に移動すると共に、角度γがさらに大きくなるＹ方向へ回転する。これに伴い、第１接続板４０と第２接続部４２との成す角βは大きくなる。被包装物移動板５２は、折目ａ１４に沿った部分が、さらにＺ方向に移動すると共に、角度δがさらに小さくなるＹ方向へ回転する。これにより、図７にも示すように、仕切板４４はＺ方向へ引き出され、仕切板４４に載置された被包装物Ｄ１も、仕切板４４と共に引き出される。また、被包装物移動板５２のＺ方向への移動により、被包装物Ｄ２は、被包装物移動板５２に押されて、Ｚ方向へ移動する。このとき、折目ａ１２と折目ａ１４との距離Ｌは、図６に示すように、Ｌ＝Ｌ３（Ｌ２＜Ｌ１＜Ｌ３）となり、仕切板４４が収納された状態、及び、仕切板４４が少し引き出された状態のいずれと比較しても、長くなる。
【００４２】
この状態で、被包装物Ｄ１は完全に開口部Ｋ１、Ｋ２の外側に出た状態となり、緩衝部６４と直交する方向に持ち上げることにより、さらに容易に取り出すことができる。
【００４３】
本実施の形態の包装箱１０によれば、緩衝部６４及び保持部６８を備えるので、例えば被包装物Ｄ１に衝撃が加えられた場合でも、緩衝効果が得られ、被包装物Ｄ１を保護することができる。
【００４４】
また、仕切板４４に被包装物Ｄ１を載置して包装した場合には、被包装物Ｄ１を仕切板４４と共に開口部外側Ｚ方向へ移動させることにより容易に取り出すことができ、利便性が向上する。また、緩衝板６０、支持兼指掛部７０、仕切板４４、第１接続板４０、第２接続板４２、底面板１２、側面板１４Ａ、１４Ｂ、及び上面板１６が一体的に形成されているので、容易に製造することができると共に、これらを別体で形成した物と比較して、部品点数を減少させることができる。
【００４５】
また、上記では、被包装物Ｄ１が、水平状態の仕切板４４に載置されて、仕切板４４と共に引き出される例について説明したが、例えば、図８に示すように、包装箱１０が水平方向Ｅから傾斜して、仕切板４４の板面の開口部Ｋ１側が蓋板２０側よりも高い位置にある場合には、被包装物Ｄ１は、第２接続板４２に押されて（折目ａ１４部分参照）、Ｚ０方向に移動する。この場合には、第２接続板４２が被包装物移動部材を兼ねる。
【００４６】
なお、本実施の形態では、図２に示すような展開図で型取りしたが、必ずしもこの展開図のように型取りされる必要はない。例えば、側面板１４Ｂ及び上面板１６が、折目ｂ４を介して底面板１２と連接されるようにし、接着部２６が、折目ｂ２を介して側面板１４Ａと連接されるようにしてもよい。特に、図２に示す展開図で型取りすることにより、効率的に型取りすることができ、コストを低減することができる。
【００４７】
また、蓋板２２Ａ、２２Ｂは、必ずしも必要ではなく、開口部Ｋ１、Ｋ２が開放された状態で包装されるものであってもよい。本実施の形態のように、蓋板２２Ａ、２２Ｂを備え、開口部Ｋ１、Ｋ２がカバーされることにより、被包装物が外側に露出されないので、被包装物を保護することができる。また、蓋板２０も、開閉可能な蓋である必要はなく、底面板１２と直交する位置に固定され、箱本体として機能するものであってもよい。
【００４８】
また、窓部５０も、必ずしも必要ではなく、窓部５０部分が上面板１６で占められているものであってもよい。本実施の形態のように、窓部５０を構成することにより、蓋板２２Ａ、２２Ｂを開けた時に、外部から被包装物が見えやすくなり、ディスプレイ効果を得ることができる。
【００４９】
また、被包装物移動板５２も、必ずしも必要ではないが、被包装物移動板５２を備えることにより、収納部屋Ｒ２に収納された被包装物を、仕切板４４と共に引き出すことができ、利便性が向上する。また、第１接続板４０は、一端が上面板１６と一体的に連接され、第２接続板４２は、他端が仕切板４４と連接されているので、仕切板４４、第１接続板４０、第２接続板４２、及び箱本体を一体的に形成することができる。その結果、上記効果を有する包装箱１０を、容易に製造することができると共に、部品点数を減少させることができる。
【００５０】
なお、被包装物移動板５２は、本実施の形態のように被包装物を押し出すのではなく、仕切板４４の開口部Ｋ２側に配置され、被包装物に係合されて、被包装物を仕切板４４に固定するものであってもよい。さらには、被包装物と部分的に係合する等により、被包装物を引き出すものであってもよい。
［第２の実施の形態］
以下、第２の実施の形態について図面を参照しながら説明する。本実施の形態では、第１の実施の形態と同一の部分については同一の符号を付し、詳細な説明は省略する。
【００５１】
本実施の形態の包装箱８８は、図９に示すように、緩衝板８０を備える。緩衝板８０は、仕切板４４の蓋板２２Ａと逆側のＨ方向と直交する端辺に連接され、第１支持部８２、緩衝部６４、第２支持部８６Ａ、差込板８７、保持部６８、及び支持兼指掛部９０を備える。第１支持部８２、緩衝部６４、第２支持部８６Ａ、差込板８７は、この順でＨ方向に連接されている。第１支持部８２は、折目ｂ１６を介して仕切板４４と連接され、緩衝部６４は、折目ｂ１７を介して第１支持部８２と連接され、第２支持部８６Ａは、折目ｂ１８を介して緩衝部６４と連接されている。図１０及び図１１に示すように、折目ｂ１６は、印刷面を内側にして、仕切板４４と第１支持部８２とが直交するように折り曲げられ、折目ｂ１７は、印刷面を内側にして、第１支持部８２と緩衝部６４とが直交するように折り曲げられる。折目ｂ１８は、印刷面を内側にして、緩衝部６４と第２支持部８６Ａとが直交するように折り曲げられる。仕切板４４の折目ｂ６に沿った位置には、差込板８７を差し込み可能な差込孔４３が穿孔されている。仕切板が収納された状態で、差込板８７は、差込孔４３に差し込まれ、第２支持部８６ＡのＨ方向と直交する端辺は、上面板１６に当接され、第２支持部８６Ａの裏面は、側面板１４Ａ当接される。差込板８７が、差込孔４３に差し込まれることにより、第２支持部８６Ａが固定される。
【００５２】
図９に示すように、支持兼指掛部９０は、仕切板４４のＨ方向に沿った端辺中央部に、折目ａ２０を介して連接されている。折目ａ２０は、印刷面を内側にして折り曲げられる。なお、折目ａ２０は、印刷面を外側にして折り曲げてもよい。
【００５３】
支持兼指掛部９０に、仕切板の板面に沿った開口部Ｋ１、Ｋ２外側のＺ方向への力を加えると、第１の実施の形態と同様にして仕切板４４がＺ方向に移動して、仕切板４４が引き出される。
【００５４】
本実施の形態の包装箱８８によっても、第１の実施の形態と同様の効果を得ることができる。
【００５５】
なお、上記第１及び第２の実施の形態の包装箱１０、８８は、支持兼指掛部７０、９０を備えたが、支持兼指掛部７０、９０は必ずしも必要ではない。特に、支持兼指掛部７０、９０が形成されていれば、ここを手指で摘んで、支持兼指掛部７０、９０にＺ方向の力を加えることができ、支持兼指掛部７０、９０がない場合と比較して、より容易に仕切板をこの仕切板の板面に沿った開口部外側方向へ移動させることができる。
【００５６】
また、上記第１及び第２の実施の形態では、緩衝板６０、８０を、仕切板４４の端辺と連接させて設けたが、図１２に示すように、仕切板４４の板面中央部に被包装物Ｄ１を挿入可能な孔を形成すると共に、緩衝板９２を設けることもできる。
【００５７】
【発明の効果】
以上説明したように、本発明の包装箱によれば、緩衝板により緩衝効果を得ることができると共に、仕切板の上に被包装物を載置して包装し、被包装物を仕切板と共に開口部外側方向へ移動させれば、被包装物が仕切板と共に開口部外側方向へ移動され、被包装物を容易に取り出すことができるので、利便性が向上する。
【００５８】
また、接続板は、第１接続部が箱本体と一体的に連接され、第２接続部が仕切板と連接されると共に、緩衝板は前記仕切板と一体的に形成されているので、緩衝板、仕切板、接続板、及び箱本体を一体的に形成することができる。その結果、上記効果を有する包装箱を、容易に製造することができると共に、これらを別体で形成した物と比較して、部品点数を減少させることができる。
【図面の簡単な説明】
【図１】仕切板が収納された状態の第１の実施の形態の包装箱の斜視図である。
【図２】第１の実施の形態の包装箱の展開図である。
【図３】被包装物が包装された図１の包装箱のＡ−Ａの断面図である。
【図４】被包装物が包装された図５の包装箱のＢ−Ｂの断面図である。
【図５】仕切板が少し引き出された状態の第１の実施の形態の包装箱の斜視図である。
【図６】被包装物が包装された図７の包装箱のＣ−Ｃの断面図である。
【図７】仕切板が完全に引き出された状態の第１の実施の形態の包装箱の斜視図である。
【図８】第１の実施の形態の包装箱が傾いた状態の断面図である。
【図９】第２の実施の形態の包装箱の展開図である。
【図１０】仕切板が収納された状態の第２の実施の形態の包装箱の斜視図である。
【図１１】被包装物が包装された図１０の包装箱のＡ’−Ａ’の断面図である。
【図１２】他の実施の形態の仕切板の斜視図である。
【符号の説明】
１０、８８　　包装箱
１２　　底面板（箱本体）
１４Ａ、１４Ｂ　側面板（箱本体）
１６　　上面板（箱本体）
２０　　蓋板
２２Ａ、２２Ｂ　蓋板（蓋）
４０　　第１接続板（接続板）
４２　　第２接続板（接続板）
４４　　仕切板
５２　　被包装物移動板（被包装物移動部材）
６０、８０、９２　　緩衝板
６４　　緩衝部
６８　　保持部
７０、９０　　支持兼指掛部
ａ１２　折目（第１接続部）
ａ１４　折目（第２接続部）
Ｄ１、Ｄ２　被包装物
Ｋ１、Ｋ２　開口部
Ｌ１、Ｌ２、Ｌ３　距離
Ｒ１、Ｒ２　収納部屋
【図１】
2004083045.tif 000003
【図２】
2004083045.tif 000004
【図３】
2004083045.tif 000005
【図４】
2004083045.tif 000006
【図５】
2004083045.tif 000007
【図６】
2004083045.tif 000008
【図７】
2004083045.tif 000009
【図８】
2004083045.tif 000010
【図９】
2004083045.tif 000011
【図１０】
2004083045.tif 000012
【図１１】
2004083045.tif 000013
【図１２】
2004083045.tif 000014